(57)【要約】  容器からの流体使用量を測定する装置及び方法が提案される。装置は、１つの形態において、容器の出口内に又は出口に隣接して位置付けられ、出口内の又は出口に隣接する流体の存在又は不存在を監視するように構成される、近接センサと、流体が出口を通じて流れ始めるときの容器の第１の角度を決定し、流体が出口を通じて流れるのを停止するときの容器の第２の角度を決定する、角度センサと、近接センサ及び角度センサからのデータ又はそれらからの処理済みデータをコンピューティングデバイス及び／又はディスプレイユニットに送信する送信器とを含み、データ又は処理済みデータは、出口を通過した流体の容積を計算し或いは表示するために使用される。
2020515822.tif 000002
【特許請求の範囲】
【請求項１】
容器からの流体の使用量を測定する装置であって、
前記容器の出口内に又は該出口に隣接して位置付けられ、前記出口内の又は前記出口に隣接する水の存在又は不存在を監視するように構成される、近接センサ又は複数の近接センサと、
前記流体が前記出口を通じて流れ始めるときの前記容器の第１の角度を決定し、前記流体が前記出口を通じて流れるのを停止するときの前記容器の第２の角度を決定する、角度センサと、
前記近接センサ及び角度センサからのデータ又はそれらからの処理済みデータをコンピューティングデバイス又はディスプレイユニットに送信する送信器とを含み、
前記データ又は処理済みデータは、前記出口を通過した前記流体の容積を計算し或いは示すために使用される、
装置。
【請求項２】
前記近接センサ又は複数の近接センサ及び角度センサから前記データを受信するコントローラを更に含み、前記データ又は処理済みデータは、その送信のために前記送信器に伝送される、請求項１に記載の装置。
【請求項３】
前記出口は、ユーザが前記容器内からの前記流体を飲むことができる或いは他の方法でアクセスすることができる注口を含み、該注口は、前記容器に固定的に取り付けられることができ、或いは前記容器の本体に対して移動可能であることができる、請求項２に記載の装置。
【請求項４】
前記近接センサ又は複数の近接センサは、少なくとも２つの流体接触ピンを含むことで、該流体接触ピンのうちの２つ又はそれよりも多くが流体内に浸漬されると、弱い電流がそれらの間で流れるようにさせられて、前記少なくとも２つの流体接触ピンに隣接する前記流体の存在を示す、請求項１乃至３のうちのいずれか１項に記載の装置。
【請求項５】
前記近接センサは、前記注口の一方の側に配置された第１の接触ピンと、前記注口の反対側に配置された３つの離間した二次的な接触ピンとを含むことで、前記概ね細長い容器が概ね水平な平面に沿って位置付けられるときに、前記３つの二次的な接触ピンが概ね垂直な軸に沿って離間することにより、前記容器の長手軸が前記水平な平面に接近するにつれて、前記二次的な接触ピンは徐々に覆われ、それにより、前記二次的な接触ピンが徐々に覆われるにつれて、弱い電流が前記第１の接触ピンと前記二次的な接触ピンの各々との間で徐々に流れるようにさせられる、請求項３に記載の装置。
【請求項６】
前記出口又は注口を通過した前記流体の前記容積は、ユーザによる流体消費量を計算することにより、前記ユーザのおおよその水和を決定するために使用される、請求項１乃至５のうちのいずれか１項に記載の装置。
【請求項７】
前記出口又は注口を通過した前記流体の前記容積は、単一のドリンク事象又は注入事象の間にある、請求項１乃至６のうちのいずれか１項に記載の装置。
【請求項８】
前記容器は、１つの形態において、ベースと、前記流体を保持するチャンバ又は貯槽を境界付ける上向きに延びる周壁とを含む、ボトルであり、可逆的に取り付け可能な蓋アセンブリが、前記チャンバ又は貯槽を封止するために、前記周壁の頂縁に接続され、前記注口は、概ね垂直な軸に沿って移動可能であり、前記蓋アセンブリの上方部分に取り付けられ、前記チャンバを封止するために閉鎖可能であり、前記周壁は、概ね円筒形であり、垂直に細長く、概ねディスク形状の蓋アセンブリが、前記ボトルの開放上方端の上に取り付けられる、請求項３に記載の装置。
【請求項９】
傾斜させられるときに前記容器の長手軸に対する前記近接センサ又は複数の近接センサの場所を決定する回転センサを更に含む、請求項１乃至８のうちのいずれか１項に記載の装置。
【請求項１０】
電源と、前記処理済みデータが前記送信器を介して前記コンピューティングデバイス及び／又はディスプレイユニットに送信される前に前記センサ又は複数のセンサからの前記データを処理するプロセッサとを更に含む、請求項１乃至９のうちのいずれか１項に記載の装置。
【請求項１１】
前記プロセッサ又はコントローラ又はワイヤレスにリンクされるコンピューティングデバイスは、所要の量の流体がユーザによって消費されたか否かを示す、前記容器に取り付けられるコード化された赤色、橙色、緑色のＬＥＤライトの形態の、前記ディスプレイユニットと通信する、請求項１０に記載の装置。
【請求項１２】
前記容器が急激に傾けられるならば、零れ速度を推定し或いは計算するために、前記容器の加速度を測定する加速度計を更に含む、請求項１乃至１１のうちのいずれか１項に記載の装置。
【請求項１３】
前記容器の動きは、３つの軸に沿って測定され、それにより、前記容器の向き及び傾斜を計算する、請求項１乃至１２のうちのいずれか１項に記載の装置。
【請求項１４】
容器からの流体の使用量を測定するための、前記容器への取付けのための蓋アセンブリであって、
当該蓋アセンブリの出口内に又は該出口に隣接して位置付けられ、前記出口内の又は前記出口に隣接する前記流体の存在又は不存在を監視するように構成される、近接センサ又は複数の近接センサと、
前記流体が前記出口を通じて流れ始めるときの前記蓋の第１の角度を決定し、前記流体が前記出口を通じて流れるのを停止するときの前記容器の第２の角度を決定する、角度センサと、
前記近接センサ及び角度センサからのデータ又はそれらからの処理済みデータをコンピューティングデバイス及び／又はディスプレイユニットに送信するための送信器とを含み、
前記データ又は処理済みデータは、前記出口を通過した前記流体の容積を計算し或いは示すことにより、ユーザによる流体消費量を計算するために使用される、
蓋アセンブリ。
【請求項１５】
容器からの流体の使用量を測定する方法であって、
前記容器の出口内に又は該出口に隣接して近接センサ又は複数の近接センサを配置するステップであって、前記近接センサ又は複数の近接センサは、前記出口内の又は前記出口に隣接する前記流体の存在又は不存在を監視するように構成される、ステップと、
角度センサを前記容器に取り付けるステップであって、前記角度センサは、前記流体が前記出口を通じて流れ始めるときの前記容器の第１の角度を測定するように構成され、前記流体が前記出口を通じて流れるのを停止するときの前記容器の第２の角度を測定するように構成される、ステップと、
送信器を前記容器に取り付けるステップであって、前記送信器は、前記近接センサ及び角度センサによって収集されるデータ又はそれらからの処理済みデータをコンピューティングデバイス及び／又はディスプレイユニットに送信するように構成される、ステップと、
前記流体が前記近接センサ又は複数の近接センサに接触して、前記出口を通じて流出させられるように、前記容器を第１の方向に傾けるステップであって、前記角度センサは、前記第１の角度を測定する、ステップと、
前記流体が前記近接センサ又は複数の近接センサから離れて、前記出口を通じて流出するのを停止するように、前記容器を第２の方向に移動させるステップであって、前記角度センサは、前記第２の角度を測定し、前記流体が前記出口を通じて流出させられるときと前記流体が前記出口を通じて流出するのを停止するときとの間の時間は、事象を境界付ける、ステップと、
該事象の間に前記出口を通過した前記流体の容積を計算するステップと、
前記事象の間に前記出口を通過した前記流体の容積を示す指標又はそれに関する情報をユーザに表示するステップとを含む、
方法。
【発明の詳細な説明】
【技術分野】
【０００１】
本発明は、人による容器からの液体消費を測定する装置及び方法に関する。具体的には、本発明は、スマートフォン又はアクティビティトラッカ若しくはスマートウォッチのようなウエアラブルへのワイヤレス接続性を有する所謂「スマートボトル(smart  bottle)」からドリンク事象(drinking  event)を測定することに関する。
【背景技術】
【０００２】
個人の様々なメトリック(測定基準)(metrics)が、１日を通じて、特にフィットネス活動中に測定されることが、今日では一般的である。これらのパラメータは、個人のパフォーマンスを測定し、比較し、且つ追跡(トラッキング)するために使用され、心拍数、歩数、睡眠持続時間／質、活動の強度及び持続時間を含むことがある。しかしながら、測定が困難であったメトリックの１つは、個人の水和(hydration)であった。このメトリックは、運動中の脱水が重度の有害な健康影響を有し得る故に極めて重要である。
【０００３】
ウエアラブルに埋め込まれた赤外線光を用いて個人の水分含有量を測定する試みがなされてきた。しかしながら、これらの試みは、限定的に過ぎない成功を示した。様々な「スマートボトル」も市場に出されており、あるいは消費された水の量を測定して、このデータをワイヤレスに接続されたアクティビティトラッカ、スマートウォッチ又はスマートフォンに送信することが、公開された先行技術において提案されている。
【０００４】
現在市販されているそのようなボトルの１つは、Ｈ２Ｏ−Ｐａｌという商標の下で販売されており、水ボトルのベースに取り付けられた薄いモジュールを含み、モジュールは、加速度計及び重量センサを介してユーザの水摂取量を追跡することにより、ボトル内の水位を監視(モニタリング)する。次に、通知が、Ｂｌｕｅｔｏｏｔｈ  Ｓｍａｒｔ（登録商標）を介してユーザの電話機上のアプリに送信される。そのようなデバイスの問題は、水使用が正確に測定されるために、飲水(drinking)の間に水ボトルを硬い表面の上に置かなければならないことであり、それは、例えば、人が歩いている場合には、実用的でないことがある。
【０００５】
別のデバイスが、流出チャネル内に配置されるインペラを含む、個人の水和(hydration)を推定する液体消費デバイスを開示する、米国特許第６，２１２，９５９号（Ｐｅｒｋｉｎｓ）において提案されている。インペラの回転速度は、メータを通じる流体の流量に比例し、従って、ユーザの水消費量を計算することができる。
【０００６】
更に別の装置が、米国特許出願公開第２０１６／０１４６６５９号（Ｓａｌｔｚｇｉｖｅｒ  ｅｔ  ａｌ．）に開示されており、ボトル蓋内に配置されるセンサが、容器内の液体レベルの変化を追跡するように構成されている。このセンサは、容器内の液体のレベルを示すように構成された超音波液体レベルセンサを含む。
【０００７】
しかしながら、既存の「スマートボトル」デバイスは、構成要素の費用、電力効率を含む、様々な問題を抱えており、Ｐｅｒｋｉｎｓに開示されるインペラの場合には、洗浄するのが困難な構成要素を含むことがあり、或いは使用中に詰まることがある。
【０００８】
本明細書を通じて使用される「近接センサ(proximity  sensor)」という句は、容器内の特定の場所で水のような流体の存在を検出するために使用される任意の種類のセンサ又はスイッチを包含すると理解されるべきである。
【０００９】
明細書を通じた先行技術のあらゆる議論は、本発明のための文脈を提供する目的のためにのみ含められていることが理解されるべきであり、そのような先行技術が本出願の優先日前に存在したものとして広く知られていたこと又は当該技術分野の一般知識の一部を形成したことの自白であると如何様にも考えられてならないことが理解されるべきである。
【発明の概要】
【００１０】
必ずしも最も広くない或いは唯一の態様でない本発明の１つの態様では、容器からの流体の使用量を測定する装置であって、
容器の出口内に又は出口に隣接して位置付けられ、出口内の又は出口に隣接する水の存在又は不存在を監視するように構成される、近接センサ又は複数の近接センサと、
流体が出口を通じて流れ始めるときの容器の第１の角度を決定し、流体が出口を通じて流れるのを停止するときの容器の第２の角度を決定する、角度センサと、
近接センサ及び角度センサからのデータ又はそれらからの処理済みデータをコンピューティングデバイス又はディスプレイユニットに送信する送信器とを含み、
データ又は処理済みデータは、出口を通過した流体の容積を計算し或いは示すために使用される、
装置が提供される。
【００１１】
１つの形態において、装置は、近接センサ又は複数の近接センサ及び角度センサからデータを受信するコントローラを更に含み、データ又はセンサからの処理済みデータは、その送信のために送信器に伝送される。
【００１２】
好ましい形態において、近接センサは、少なくとも２つの流体接触ピンを含む。２以上(２つ又はそれよりも多く)の流体接触ピンが流体内に浸漬されると、弱い電流がそれらの間で流れるようにさせられて、流体の存在を示す。当業者は、ミネラルのような非常に希薄な濃度の物質さえも含有する水が電流を運ぶことを理解するであろう。従って、装置は、水の導電率が８〜１０ｐｐｍ程の低さであるときでさえ、容器内の特定の場所で水を検出するように構成されてよい。
【００１３】
１つの形態において、少なくとも２つの流体接触ピンは、概ね水平な平面上で離間した構成において配置されてよい。
【００１４】
好ましい形態では、前記近接センサは、第１の接触ピンが注口の一方の側に配置され、３つの離間した二次的な接触ピンが注口の反対側に配置されることで、細長いボトルが概ね水平な構成において位置付けられるときに、３つの二次的な接触ピンは、概ね垂直な軸に沿って離間する。３つの二次的な接触ピン及び第１の接触ピンのうちの最も低いものは、水平な平面に概ね沿って位置付けられ、中間及び上方の二次的な接触ピンは、第１の接触ピンに対して徐々により高く設定される。このようにして、水の高さが増加すると、即ち、ボトルが垂直位置から水平位置へ傾けられると、二次的な接触ピンは徐々に覆われ、それらが覆われるにつれて、弱い電流が第１の接触ピンと二次的な接触ピンの各々との間に流れるようにさせられる。これは近接センサの精度を向上させ、ボトル内の水の零れ(water  slop)と関連する問題の一部を克服する。ボトルを垂直又は垂直位置に下げられるときに、同じ精度の向上が起こる。
【００１５】
更に別の形態において、少なくとも２つの流体接触ピン又は複数の近接センサは、概ね垂直な軸に沿って離間して注口内に配置されてよい。しかしながら、読者は、本発明の範囲から逸脱することなく、接触ピンの数及び構成を変更し得ることを理解するべきである。
【００１６】
好ましくは、出口を通過した流体の容積は、ユーザによる流体消費量を計算するために使用され、次に、それはユーザのおおよその水和を決定するために使用される。
【００１７】
好ましくは、容器は既知の容積を有するボトルである。ボトルは、ユーザによって携帯可能であってよく、把持可能であってよい。出口は、好ましくは、ユーザが容器内から液体を飲むことができる或いは他の方法でアクセスすることができる注口を含む。
【００１８】
好ましくは、出口を通過した流体の容積は、単一のドリンク事象(飲み事象)(drinking  event)又は注入事象(pouring  event)の間にあってよい。
【００１９】
容器が再充填を必要とするときを示すために、単一のドリンク事象又は注入事象後に容器内に残存する流体の容積を計算することができる。
【００２０】
容器は、１つの形態において、流体を保持するチャンバ又は貯槽を境界付ける上向きに延びる周壁に隣接するベースを含むボトルである。チャンバ又は貯槽を封止するために、可逆的に取り付け可能な蓋アセンブリが、壁の頂部周縁に接続される。注口は、好ましくは、概ね垂直な軸に沿って移動可能であり、蓋アセンブリの上方部分に取り付けられ、閉鎖可能又はシール可能である。
【００２１】
１つの形態において、周壁は、概ね円筒形であり、垂直に細長く、概ねディスク形状の蓋アセンブリが、容器の開放した上方端の上に取り付けられる。
【００２２】
注口はディスク形状の蓋アセンブリの中央にあってよく、或いは好ましい形態において、注口はディスク形状の蓋アセンブリの中心点からオフセットされてよい。
【００２３】
装置は、傾斜させられるときに容器の長手軸に対する近接センサ又は複数の近接センサの場所を決定する回転センサを含んでよい。
【００２４】
装置は、処理済みデータが送信器を介してコンピューティングデバイス及び／又はディスプレイユニットに送信される前に複数のセンサからのデータを処理するプロセッサを更に含んでよい。コンピューティングデバイスは、データの更なる処理を引き受けることがある。代替的に、複数のセンサからのデータは、データの処理の全てを引き受けるコンピューティングデバイスに直接的に送信される。
【００２５】
プロセッサ又はコントローラは、好ましくは、低電力要件を具備するマイクロコントローラ又はマイクロプロセッサである。
【００２６】
装置は、好ましくは、バッテリのような電源を含む。バッテリは、ボタン電池バッテリ(button  cell  battery)であってよく、好ましくは、蓋アセンブリ内に保持される。ボタン電池バッテリは、小さな子供のような認可されていない人によるアクセスを阻止するよう、不正開封防止ハウジング内に保持されてよい。１つの形態において、不正開封防止ハウジングは、ボタン電池バッテリを保持するロック部材を含み、ロック部材は、協働するツールによってのみロック解除されることができる。他の形態において、バッテリは、バッテリを取り外すことによって或いはケーブル又は携帯充電ユニットを現場で使用することによって再充電可能であってよい。代替的に、バッテリを再充電するために、再充電ユニットが装置に組み込まれてよい。
【００２７】
コンピューティングデバイス又はディスプレイユニットは、スマートフォン、アクティビティトラッカ、スマートウォッチ、ウエアラブル又はポータブル表示手段、ラップトップ、タブレット、又は他のパーソナルコンピューティングデバイスであってよい。
【００２８】
１つの形態において、データ又は処理済みデータは、コンピューティングデバイスのユーザフレンドリなディスプレイモジュール上に表示されてよい。
【００２９】
装置は、容器が急激に傾けられるならば、零れ速度(rate  of  slop)を推定し或いは計算するために、容器の加速度を測定する加速度計を更に含んでよい。
【００３０】
好ましくは、容器の動きは３つの軸に沿って測定され、それにより、容器の向き及び傾斜を計算する。
【００３１】
装置は、コンピューティングデバイス又はディスプレイユニットが装置とペアリングされていないときに、データ又は処理済みデータを格納するフラッシュメモリを含んでよい。
【００３２】
本発明の別の態様では、容器からの流体の使用量を測定するための容器への取付けのための蓋アセンブリであって、
蓋アセンブリの出口内に又は出口に隣接して位置付けられ、出口内の又は出口に隣接する流体の存在又は不存在を監視するように構成される、近接センサ又は複数の近接センサと、
流体が出口を通じて流れ始めるときの蓋の第１の角度を決定し、流体が出口を通じて流れるのを停止するときの容器の第２の角度を決定する、角度センサと、
近接センサ及び角度センサからのデータ又はそれらからの処理済みデータをコンピューティングデバイス及び／又はディスプレイユニットに送信するための送信器とを含み、
データ又は処理済みデータは、出口を通過した流体の容積を計算し或いは示すことにより、ユーザによる流体消費量を計算するために使用される、
蓋アセンブリが提供される。
【００３３】
更に別の態様では、上記のいずれかに従った容器からの流体使用量を測定するための装置を含む出口を有する容器が提案される。
【００３４】
本発明の更に別の態様では、容器からの流体の使用量を測定する方法であって、
容器の出口内に又は出口に隣接して近接センサ又は複数の近接センサを配置するステップであって、近接センサ又は複数の近接センサは、出口内の又は出口に隣接する流体の存在又は不存在を監視するように構成される、ステップと、
角度センサを容器に取り付けるステップであって、角度センサは、流体が出口を通じて流れ始めるときの容器の第１の角度を測定するように構成され、流体が出口を通じて流れるのを停止するときの容器の第２の角度を測定するように構成される、ステップと、
送信器を容器に取り付けるステップであって、送信器は、近接センサ及び角度センサによって収集されるデータ又はそれらからの処理済みデータをコンピューティングデバイス及び／又はディスプレイユニットに送信するように構成される、ステップと、
流体が近接センサ又は複数の近接センサに接触して、出口を通じて流出させられるように、容器を第１の方向に傾けるステップであって、角度センサは、第１の角度を測定する、ステップと、
流体が近接センサ又は複数の近接センサから離れて(disengages)、出口を通じて流出するのを停止するように、容器を第２の方向に移動させるステップであって、角度センサは、第２の角度を測定し、流体が出口を通じて流出させられるときと流体が出口を通じて流出するのを停止するときとの間の時間は、事象を境界付ける、ステップと、
事象の間に出口を通過した流体の容積を計算するステップと、
事象の間に出口を通過した流体の容積を示す指標(しるし)(indicia)又はそれに関する情報をユーザに表示するステップとを含む、
方法が提供される。
【００３５】
好ましくは、事象は、ドリンク事象である。より好ましくは、流体は、例えば、水のような、非粘性流体であるが、それに限定されない。
【００３６】
指標は、ミリリットル又は流体オンスで測定されるドリンク事象中に消費される流体の容積であってよい。代替的に、装置のプロセッサ又はワイヤレスにリンクされるコンピューティングデバイスは、ユーザの年齢、フィットネス、気候、活動及び時刻に依存して、ユーザによって必要とされる流体の量を計算し、それにより、十分に水和されたままであるためにユーザによって必要とされる流体の総量のパーセンテージとして指標を表示してよい。
【００３７】
装置のプロセッサ又はコントローラ又はワイヤレスにリンクされるコンピューティングデバイスは、ボトル又は容器に取り付けられたディスプレイユニット、例えば、所要の量の流体がユーザによって消費されたか否かを示すコード化された赤色、橙色、緑色のＬＥＤライトと通信してよい。
【００３８】
この明細書に組み込まれてこの明細書の一部を構成する添付の図面は、本発明の実施を例示し、本記述及び請求項と共に、本発明の利点及び原理を説明する働きをする。
【図面の簡単な説明】
【００３９】
【図１】ボトルに取り付けられた本発明の装置の１つの実施形態の側断面図である。
【図２】垂直位置にある装置、蓋アセンブリ及びボトルの第２の実施形態の側面断面図である。
【図３】水位が近接センサに接触する第１の傾斜位置にある図２の装置、蓋アセンブリ及びボトルの側断面図である。
【図４】水が出口を通じて流出する第２の傾斜位置にある図２の装置、蓋アセンブリ及びボトルの側面断面図である。
【図５】水位は近接センサの下方に戻る、第３の傾斜位置に反対方向に傾けられた、図２の装置、蓋アセンブリ及びボトルの側断面図である。
【図６】第１レベルＬ１から第２レベルＬ２への水位の低下を示す図２の装置、蓋アセンブリ及びボトルの側面断面図である。
【図７ａ】収縮可能な注口を隠す枢動可能なフラップによって覆われる開口を有する本発明の蓋アセンブリの別の実施形態の斜視図である。
【図７ｂ】蓋アセンブリの本体及び枢動可能なフラップの動きを例示する図７ａの蓋アセンブリ及びボトルの斜視図である。
【図７ｃ】延出位置にある注口を示す図７ａの蓋アセンブリ及びボトルの斜視図である。
【図８】装置の第３の実施形態の構成要素を示す図７ａの蓋アセンブリ及びボトルの分解図である。
【図９】図８の装置支持フレームの斜視図である。
【図１０】図８の注口の斜視図である。
【図１１ａ】リードスイッチに隣接する磁石を例示する図８の注口及び装置の支持フレームの斜視図である。
【図１１ｂ】リードスイッチから離間する磁石を例示する図１１ａの注口及び装置支持フレームの斜視図である。
【図１２ａ】収縮位置にある注口を例示する、図７ａのボトル及び装置を含む蓋アセンブリの側断面図である。
【図１２ｂ】延出位置にある注口を例示する図１２ａの蓋アセンブリ、装置及びボトルの側断面図である。
【図１２ｃ】第１の傾斜位置にある図１２ａの蓋アセンブリ、装置及びボトルの側断面図である。
【図１２ｄ】近接センサに接触する水を例示する第２の傾斜位置にある図１２ａの蓋アセンブリ、装置及びボトルの側面断面図である。
【図１２ｅ】出口を通じて流出する水を例示する第３の傾斜位置にある図１２ａの蓋アセンブリ、装置及びボトルの側面断面図である。
【図１２ｆ】水位が近接センサの下方に低下することを例示する第４の傾斜位置にある図１２ａの蓋アセンブリ、装置及びボトルの側面断面図である。
【図１２ｇ】ドリンク／注入事象後のより低い水位を例示する直立位置にある図１２ａの蓋アセンブリ、装置及びボトルの側面断面図である。
【図１３ａ】第１の接触ピン及び３つの二次的な接触ピンを例示する別の実施形態の通信モジュールの下面斜視図である。
【図１３ｂ】図１３ａの通信モジュールの下面図である。
【図１３ｃ】図１３ａの通信モジュールの下面斜視図である。
【図１３ｄ】図１３ａの通信モジュールの背面図である。
【図１４】注口の位置を示す図１３ａの通信モジュールの側面図である。
【図１５】図１３ａの通信モジュールの１つの実施形態の回路配置図である。
【図１６】垂直に離間した近接センサを例示する本発明の更に別の実施形態の側断面図である。
【発明を実施するための形態】
【００４０】
類似の参照符号は、図面を通じて対応する部分を示している。図面に示す特定の部品の寸法は、明瞭性又は例示の目的のために修正及び／又は誇張されていることがある。
【００４１】
より詳細な記述のために図面を参照すると、本発明の原理が利用されてよい構成を一例として実証する、容器１２(container)内の流体レベルの変化を測定する装置１０が例示されている。読者は、装置１０がオフセットされた注口１６(spout)を備える蓋１４(lid)を有するボトル１２(bottle)と一緒の使用に関して主に記載されていることを理解すべきである。しかしながら、本発明はこの特定の用途に限定されず、本発明の範囲から逸脱することなく、他の種類の容器及び注口を使用することができ、例えば、注口１６は蓋１４の中央にあってよいことが理解されるべきである。
【００４２】
図１を参照すると、蓋又は蓋アセンブリ１４を有するボトル１２からの流体消費を測定する装置１０の１つの実施形態が例示されている。ボトル１２は、既知の容積(volume)のチャンバ２２を形成する上方に延びる円周壁２０に隣接するベース１８を有する。蓋アセンブリ１４は、円周壁２０の頂部にあるネジ山２６と協働するネジ山付き部分２４を介してボトル１２に取り付けられる。蓋アセンブリ１４は、蓋アセンブリ１４をボトル１２から取り外すことができないように或いは蓋アセンブリ１４が周囲壁２０と可逆的に係合することがあるように、ボトル１２の頂部に固定的に取り付けられてよい。摩擦係合のような他の係合部材を使用することができ、或いは蓋はボトル１２に熱溶接されてよい。
【００４３】
本実施形態の蓋アセンブリ１４は、ユーザが水のような内容物３０にアクセスすることができる出口２８を形成する固定的な注口１６を含む。
【００４４】
近接センサ３２が出口２８に隣接して位置付けられて、出口２８を通じる水の流れを監視する。しかしながら、読者は、近接センサ３２が出口内に配置されてよく、２以上(２つ又はそれよりも多く)のセンサ又はセンサ素子を含んでよいことを理解するべきである。現在入手可能な又は従来技術で提案されている他の幾つかのボトルシステムとは異なり、近接センサ３２は、出口を通じる実際の流量を測定せず、むしろ出口２８内の又は出口２８に隣接する流体３０の存在又は不存在を測定し、それは詳細な記述を通じてより明確になるであろう。
【００４５】
装置１０は、図３に関して議論するように、流体３０が出口３２を通じて流れ始めるときに、ボトル１２の第１の角度Ａを決定又は測定する角度センサ３４を更に含み、角度センサ３４は、図５に関して議論するように、流体３０が出口２８を通じて流れるのを止めるときに、ボトル１２の第２の角度Ｂを決定又は測定するためにも使用される。
【００４６】
図１に戻ると、装置１０は、コントローラ又はプロセッサ３６、送信器３８、及び電源４０を更に含む。プロセッサ３６は、近接センサ３２、角度センサ３４、及び非限定的に長手軸の周りのボトル１２の回転を測定する軸センサ４２のような任意の他の関連するセンサからのデータを処理するように構成される。次に、処理されたデータは、送信器３８に送られる。
【００４７】
コントローラ又はプロセッサ３６は、流体３０が出口２８を通じて流れ始めるときのボトル１２の角度を、流体３０が出口２８を通じて流れるのを止めるときのボトル１２の角度と比較することによって、出口２８を通過する流体の容積を計算するように構成される。
【００４８】
水のような流体は、水平な平面に対応するその自然なレベルを見出すので、チャンバ２２内の流体が少なければ少ないほど、流体３０が出口２８から流れ出るためにボトル１２が傾斜させられなければならない角度はより大きい。チャンバ２２の容量(capacity)は知られているので、プロセッサ３６は、流体が近接センサ３２と接触するときの又は近接センサ３２と接触しなくなるときの角度におけるボトル内の流体の容積を計算することができる。
【００４９】
次に、送信器３８は、処理されたデータを、短距離ネットワークを介して、スマートフォン４４又はアクティビティトラッカ４６のような、コンピューティングデバイス及び／又はディスプレイユニットにワイヤレスに送信して、例えば、ドリンク事象(飲水事象)(drinking  event)の間に出口２８を通過した、流体の容積を表示する。短距離ネットワークは、独立した低電力無線ネットワーク(low  power  radio  network)、ＢＬＵＥＴＯＯＴＨ（登録商標）又はＢＬＵＥＴＯＯＴＨ（登録商標）Ｌｏｗ  Ｅｎｅｒｇｙ（ＢＬＥ）であってよい。
【００５０】
しかしながら、読者はセンサ３２、３４、４２からのデータを外部コンピューティングデバイス及び／又はディスプレイユニット４４、４６に直接的に送信し得ることを理解するであろう。
【００５１】
次に、処理されたデータ又はセンサ３２、３４、４２からのデータを、コンピューティングデバイス及び／又はディスプレイユニット４４又は４６によって使用して、ユーザの水和(hydration)を推定し、それらがより多くの水和を必要とするか或いは十分に水和されているか否かをそれらに通知することができる。
【００５２】
センサ３４、４２、プロセッサ３６、送信器３８及び電源４０は、封止されたハウジング４８内に保持される。封止されたハウジング４８は、構成要素(コンポーネント)を流体３０及び承認されていない改竄から保護する。封止されたハウジング４８は、蓋１４と一体であってよく、或いは蓋１４から取り外し可能であってよく、それにより、封止されたハウジング４８内の構成要素を損傷することなく、ボトル１２及び蓋アセンブリ１４を洗浄することができる。様々なシール及び配線を用いて構成要素をシールし且つ接続することができるが、詳細には議論されない。何故ならば、それらは当業者に明らかだからである。
【００５３】
図２〜図５は、ボトル１２と、固定された注口１６を備える蓋アセンブリ１４と、近接センサ３２と、角度センサ３４とを含む、装置１０の第２の実施形態を例示している。明確性のために、図１に詳述した構成要素の一部は、例示されず或いは議論されない。
【００５４】
図２を参照すると、ボトル１２は、直立位置で示されており、ボトル１２の長手軸５０は、垂直に整列されている。チャンバ２２内に収容される流体３０は、水平な平面と整列するそれ自体のレベルを自然に見出すことにより、ボトル１２が直立にあるときに長手軸５０に対して垂直である。従って、流体３０の表面レベル５２は、近接センサ３２から離間する。
【００５５】
図３に例示するように、ボトル１２が矢印５４の方向に傾斜させられると、流体３０の表面レベル５２は、概ね水平な平面上に留まる。しかしながら、ボトル１２の長手軸５０は、垂直から離れる方向に移動しているので、流体３０の表面レベル５２は、近接センサ３２と接触するようになる。流体３０の存在が近接センサ３２によってひとたび検出されると、角度センサ３４は、ボトル１２の第１の角度Ａを決定するように構成される。ボトル１２の寸法は知られているので、ボトルが第１の角度Ａで傾けられるときの容積を計算することができる。
【００５６】
図４に例示するように、ボトル１２が矢印５４の方向に傾けられ続けると、水３０は、出口２８を通じて流出する。これは、ドリンク事象の間又は飲むために流体がユーザによって容器内に注入される(注がれる)(poured)ときであり得る。ドリンク事象又は注入事象(pouring  event)がひとたび終了すると、ボトル１２は、図５の矢印５６によって示すように、反対方向に傾けられ、流体３０の表面レベル５２は、近接センサ３２の下方に戻る。この時点で、角度センサ３４は、ボトル１２の第２の角度Ｂを決定するように構成され、従って、残りの流体の容積を計算することができる。
【００５７】
次に、図６に示すように、初期レベルＬ１とその後のレベルＬ２との間の差５８を計算することにより、ドリンク事象の容積を決定することができる。次に、これを心拍数モニタ、アクティビティトラッカ、スマートウォッチ及び／又は気象センサのような他のモニタからのデータと併せて使用して、ユーザの流体所要量を計算することができ、ユーザの正しい水和を維持するために行われている活動に照らしてドリンク事象の容積が十分であったか否かを計算することができる。
【００５８】
図７ａ〜図１２ｇを参照すると、装置１０の第３の実施形態が例示されており、蓋アセンブリ１４は、収縮可能な(retractable)注口１６を含む。
【００５９】
収縮可能な注口１６の動作は、本出願人の名前で「ＢＯＴＴＬＥ  ＬＩＤ  ＡＳＳＥＭＢＬＹ  ＷＩＴＨ  ＲＥＴＲＡＣＴＡＢＬＥ  ＳＰＯＵＴ」という名称のＰＣＴ／ＡＵ２０１５／０５０５６７号において以前に開示しており、それは本明細書に参照として援用される。従って、収縮可能な注口アセンブリの詳細の一部は、本発明を曖昧にしないよう繰り返されない。しかしながら、読者は、注口又は開口が収縮可能であるか固定されるかに拘わらず或いは注口又は開口が蓋の中央に配置されているか或いは中心点からオフセットしているかに拘わらず、装置１０を任意の注口又は開口に組み込み得ることを理解するべきである。
【００６０】
図７ａは、ボトル１２及び蓋アセンブリ１４を例示しており、蓋アセンブリ１４は、その中に保持された装置１０を有する。蓋アセンブリ１４は、頂カバー７０と、回転可能な本体７２と、移動可能な注口１６とを含む。頂カバー７０は、枢動可能なフラップ７６によって閉じることができる開口７４を含む。注口１６は、注口１６が本体７２内に配置され且つカバー７０の下方に配置される図７ａに例示するような収縮位置(retracted  position)と、注口１６がカバー７２にある開口７４を通じて延びる図７ｃに例示するような延出位置(extended  position)との間で、ボトル１２の長手方向５０と平行な第１の軸に沿う付勢された動きのために構成される。
【００６１】
本実施形態においてボトルは概ね円筒形であるが、任意の形状又は大きさのボトル１００に蓋アセンブリ１４を取り付けることができる。
【００６２】
蓋アセンブリ１４は、以前に議論したように、ボトル１２への接続のために構成されたベース部材７８を更に含む。ＰＣＴ／ＡＵ２０１５／０５０５６７号に開示されているように、頂カバー７０及びベース部材７８は、固定的な関係に保持され、本体７２は、第１の位置と第２の位置との間で長手軸５０の周りでそれらの間を回転することができる。
【００６３】
ボタン８２とロックデバイス８４とを含む解放可能なラッチ機構８０が、注口１６を収縮位置から延出位置に移動させる手段を提供する。本体が回転し始めると、図７ｂに例示するように、枢動可能なフラップ７６は、開口７４を空けて(clears)、注口１６が収縮位置から延出位置にそこを通じて上向きに移動するのを可能にする。延出位置では、図７ｃに例示するように、人は注口１６を使用してボトル１２内に収容される流体３０にアクセスすることができる。
【００６４】
ユーザが注口１６から液体を飲んだり或いは注いだりするのを終えると、彼らは本体７２の外面を掴み、それを付勢に抗して閉じた位置に手動で回転させることができ、その場合、注口１６は収縮され、枢動可能なフラップ７６は開口７４を閉じる。ラッチ機構８０は、ボタン８２がユーザによって作動されるまで、注口１６を付勢に抗して閉じた位置に維持する。
【００６５】
図８は、蓋アセンブリ１４の分解図を例示しており、頂カバー７０は、固定部材８６を介してベース部材７８に対して固定されることができる。注口１６は、マウスピース９２によって上方部分で境界付けられる流体経路２８を組み込んだ本体部分８８を含む。アーム９４ａ、９４ｂ(腕部)及びフィンガ９６ａ、９６ｂ、９６ｃ(指部)のセットが、本体部分８８から側方に延び、アーム９４ａ、９４ｂは、それぞれの孔９８を含む。
【００６６】
本実施形態における本体２２は、フライト(flight)又は３つの開始ネジ(start  thread)の形態の内向きに突出するフランジ１００ａ、１００ｂ、１００ｃを備える円筒形の管状部材として形成されている。フィンガ９６ａ、９６ｂ、９６ｃは、内向きに突出するフランジ１００ａ、１００ｂ、１００ｃの頂縁(upper  edge)に当接し、注口１６が収縮位置と延出位置との間を移動するときにガイドとして作用する。
【００６７】
ベース部材７８は、付随シールボタンシール１０２(depending  seal  button  seat)を含み、付随シールボタンシール１０２は、側方に開放され、シールボタン１０４を保持するように構成される。注口１６が収縮位置にあるとき、注口１６の本体部分８８の下方リムは、シールボタン１０４の上面を支承し、よって、ボトル１００からの流体は、注口１６の流体経路２８に入ることができない。注口１６が延出位置にあるとき、本体部分８８の下方リムは、シールボタン１０４から十分にクリアされており、よって、ボトル１００からの流体は、シールボタンシート１０２の側部に形成される孔を通じて注口３２の流体経路２８内に流れることができる。しかしながら、読者は、他のシール構成を使用し得ることを理解するべきである。
【００６８】
図８に更に例示するように、装置１０は、支持フレーム１１０、ハウジング１１２、カバー１１４、及びシール部材１１６を含む。支持フレーム１１０に取り付けられる構成要素は、図９に関して議論される。
【００６９】
現在例示されていないが当業者に明らかであろう様々な固定手段及びシールが、蓋アセンブリ１４を構成するために使用される。固定手段及びシールのうちの一部の固定手段及びシールの詳細並びに移動可能な注口の動作は、参照として本明細書に援用されるＰＣＴ／ＡＵ２０１５／０５０５６７号に詳述されている。
【００７０】
図９に例示するように、支持フレーム１１０は、多数の構成要素が取り付けられた構造を提供する。本実施形態のこれらの構成要素は、主動力ボタン１１８、Ｂｌｕｅｔｏｏｔｈ（登録商標）無線モジュール１２０(radio  module)、マイクロコントローラ（ＭＣＵ）１２２、バッテリ１２４、傾斜スイッチ１２６、リードスイッチ１２８、ＬＥＤインジケータ１３０、角度センサ（ｅ−コンパス）３４、及び流体接触ピン１３４、１３６の形態の近接センサ３２を含む。
【００７１】
流体レベルが両方の流体接触ピン１３４、１３６に接触するとき、弱い電流がそれらの間を流れ、それは、図１２ｄに関して議論するように、流体が注口１６を通じて外に出ようとしていることを示す。流体レベルが流体接触ピン１３４、１３６の下方に低下すると、弱い電流は停止し、それは、図１２ｆに関して議論するように、流体がもはや注口１６を通じて流出していないことを示す。
【００７２】
しかしながら、読者は、本発明の範囲から逸脱することなく、他の種類の近接センサを使用することができ、例えば、近接センサはフロートスイッチ又は誘導センサの形態であってよいことを理解するべきである。更に、短距離通信は、Ｂｌｕｅｔｏｏｔｈ（登録商標）技術を用いて行われることが想定されるが、本発明の範囲から逸脱することなく、他の形態の短距離通信を使用することができる。
【００７３】
バッテリ寿命を節約するために、リードスイッチ１２８を使用して、装置１０のオン及びオフを切り替え、或いはアクティブモードとスタンバイモードとの間で装置を切り替える。リードスイッチ１２８は、図１０に例示するように、注口１６に取り付けられる磁石１３８によって起動(アクティブ化)される。
【００７４】
図１１ａ及び図１１ｂは、蓋アセンブリ１４の他の構成要素から分離された支持フレーム１１０及び注口１６を例示しており、それにより、リードスイッチ１２８の動作を例示している。図１１ａは、蓋アセンブリ１４内に完全に収納された収縮位置にある注口１６を例示している。この収縮位置において、磁石１３８は、リードスイッチ１２８に近接近している。従って、装置１０のエレクトロニクス(電子機器)は、構成要素をスタンバイモードに置くか或いは電力供給される構成要素をオフに切り替えるように構成される。何故ならば、ボトル１２は閉じられ、ドリンク事象が起こらないからである。
【００７５】
図１１ｂに例示するように、蓋アセンブリ１４が注口１６を延出位置に上げるように作動させられると、磁石１３８は、リードスイッチ１２８から離れる方向に移動する。次に、装置１０のエレクトロニクスは、装置１０の関連する構成要素をパワーアップする(power  up)ように構成される。何故ならば、ドリンク事象又は注入事象が短い時間期間内に生じる可能性が高いからである。注口１６が収縮位置に戻されると、装置１０の電力供給される構成要素は、次に、スタンバイ又はオフモードにパワーダウンされる(powered  down)。
【００７６】
装置１０の電力供給される構成要素は、注口１６が延出位置にあるときに作動状態にあるだけなので、近接センサ３２が起動されないで閉じられるときに、ボトル１２を任意の角度に位置決めすることができる。何故ならば、装置はスタンバイ又はオフモードにあるからである。
【００７７】
このようにして、バッテリ１２４は、ドリンク事象が生じる可能性が高い時間期間中にのみ使用される。しかしながら、読者は、ボトル１２が閉塞構成にあり、注口１６が収縮させられるときに、バッテリが、ＬＥＤインジケータ１３０又はボトル１２上のディスプレイのような、特定のコンポーネントに依然として電力供給する場合があることを理解するべきである。従って、スタンバイ又はオフモードでは、バッテリ１２４からの幾らかの制限された電力が使用される場合がある。
【００７８】
図１２ａ〜図１２ｇは、ドリンク事象又は注入事象の間に装置１０の本実施形態が通過する段階を例示している。本発明の動作を曖昧にしないように、全ての構成要素が図中にラベル付けされているわけではない。図１２ａは、蓋アセンブリ１４内に収縮されて位置決めされ、枢動可能なフラップ７６によって覆われた、注口１６を例示している。図１２ａにおける流体３０のレベルは、Ｌ１として示されている。図１２ｂは、ラッチ機構８０がひとたび解放されて、本体７２が回転し、枢動可能なフラップ７６が進路から外れることを可能にする、延出位置における注口１６を例示している。この時点で、磁石１３８及びリードスイッチ１２８は、以前に議論したように互いから離れて位置付けられ、従って、装置１０はアクティブ又はオンモードにある。
【００７９】
次に、図１２ｄに示すように、水位が近接センサ３２の流体接触ピン１３４、１３６と接触するようになるまで、図１２ｃに示すように、ボトル１２は傾斜させられる。次に、傾斜スイッチ１２６が起動させられ、マイクロコントローラ１２２は、角度センサ３４を介してボトル１２の第１の角度Ａの測定値を取る。次に、マイクロコントローラ１２２は、ドリンク事象又は注入事象の開始時にボトル１２内に収容される流体３０の容積を計算することができる。
【００８０】
離間したピン１３４、１３６を近接センサ３２として使用する利点の１つは、センサが起動させられる唯一のときが、両方のピンが浸漬されて、電流が流れることができるときである。これは、開放ボトル１２がキャリアであるときに、水がチャンバ２２内の周囲に散水される(splashed)ときに、近接センサ３２が作動させられないことを意味する。
【００８１】
図１２ｅに例示するように、ボトル１２が更に傾斜させられると、流体３０は、チャンバ２２内から注口１６を通じて流出する。ドリンク事象又は注入事象の間、流体接触ピン１３４、１３６は、流体３０内に完全に浸漬され、それらの間に弱い電流が流れる。
【００８２】
ドリンク事象又は注入事象が完了すると、流体３０が注口１６を通って流出するのを止め、流体のレベルが流体接触ピン１３４、１３６の下方に下がるように、ボトル１２は、図１２ｆに例示するように、反対方向に傾斜させられる。従って、電流は、ピン１３４、１３６の間で流れることを止め、次に、ボトル１２の第２の角度Ｂが、角度センサ３４を用いて記録される。
【００８３】
次に、マイクロコントローラ１２２を使用して、図１２ｇにおけるＬ２によって示すように、流体３０の新しいレベルを決定する。このようにして、ドリンク事象又は注入事象の間に出口を通過した流体３０の容積を計算することができる。このデータは、ユーザが適切な水和を維持するために彼らの現在の状況に照らして十分な流体を消費したか否かをユーザに示すために利用されることができる。
【００８４】
図１３ａ〜図１４は、支持フレーム１１０の別の実施形態を例示しており、この場合、支持フレームは、通信モジュール又はＢＬＵＥＴＯＯＴＨ（登録商標）モジュールである。図に例示するように、第１の接触ピン１３６が、注口１６の一方の側に配置され、３つの離間した二次的な接触ピン１３４ａ、１３４ｂ、１３４ｃが、注口１６の反対側に配置されることで、ボトル１２が概ね水平な配置に位置付けられるときに、３つの二次的な接触ピン１３４ａ、１３４ｂ、１３４ｃは、図１３ｂに例示するように、概ね垂直軸に沿って離間する。図１３ｂに更に例示するように、３つの二次的な接触ピン１３４ａ及び第１の接触ピン１３６のうちの最も下のものは、概ね水平な平面に沿って位置付けられ、中央の二次的な接触ピン１３４ｂ及び上方の二次的な接触ピン１３４ｃは、第１の接触ピン１３６に対して徐々に(progressively)より高く設定される。このようにして、水の高さが増大すると、ボトルの傾斜(tipping)中に、二次的な接触ピン１３４ａ、１３４ｂ、１３４ｃは徐々に覆われる。
【００８５】
読者は、最初に第１の接触ピン１３６及び第２の接触ピン１３４ａが覆われ、弱い電流がそれらの間に流れるようにさせられることを理解すべきである。次に、水の高さが増大すると、ボトル１２の傾斜中に、二次的な接触ピン１３４ｂが覆われ、弱い電流がそれと第１の接触ピン１３６との間を流れるようにさせられる。最後に、水の高さが更に増大すると、二次的な接触ピン１３４ｃが覆われ、弱い電流がそれと第１の接触ピン１３６との間を流れるようにさせられる。
【００８６】
この二次的な接触ピン１３４ａ、１３４ｂ、１３４ｃの順次の作動は、近接センサの精度を向上させ、移動中のボトル内の水の零れ(slop)と関連する問題の一部を克服する。
【００８７】
図１３ａ〜図１４に更に例示するように、通信モジュールは、ドリンク事象又は水和レベルをユーザに通知するために使用されるＬＥＤディスプレイライト１４９を含む。図１５は、通信モジュールの回路配置図の１つの実施形態を例示しているが、本発明の精神又は範囲から逸脱することなく、他の構成が可能である。
【００８８】
図１６は、垂直に離間した近接センサ１５０ａ、１５０ｂ、１５０ｃを含む装置１０の別の実施形態を例示している。このようにして、流体３０が徐々に注口１６に入ると、近接センサは順次に浸漬される。これは容器が急激に傾けられるときの容器内の流体の零れの結果としての誤った読取りを避けるために行われる。
【００８９】
当業者は先行技術に対する例示の発明の利点を今や理解するであろう。１つの形態において、本発明は、既知の容積を有する異なる形状及びサイズのボトルに組み込むことができる容器からの流体の使用量を測定する方法を提供する。装置はボトルが運ばれているときでさえも流体の使用を追跡することができる。更に、オフに切り替えることができ或いはスタンバイモードに切り替えることができる低電力センサ及び構成要素の使用は、装置がバッテリの交換又は充電の間により長い使用可能な寿命を有することを意味する。装置は、ボトルからの流体使用量を正確に測定し、それはユーザの水和を予測するためにデータを使用することができることを意味する。
【００９０】
本発明の様々な構成が本発明の例示的な実施形態との関係において具体的に示され且つ記載されたが、これらの特定の構成は本発明を例示するに過ぎず、それに限定されないことが理解されなければならない。従って、本発明は、本発明の精神及び範囲内に入る様々な修正を含むことができる。
【図１】
2020515822.tif 000003
【図２】
2020515822.tif 000004
【図３】
2020515822.tif 000005
【図４】
2020515822.tif 000006
【図５】
2020515822.tif 000007
【図６】
2020515822.tif 000008
【図７ａ】
2020515822.tif 000009
【図７ｂ】
2020515822.tif 000010
【図７ｃ】
2020515822.tif 000011
【図８】
2020515822.tif 000012
【図９】
2020515822.tif 000013
【図１０】
2020515822.tif 000014
【図１１ａ】
2020515822.tif 000015
【図１１ｂ】
2020515822.tif 000016
【図１２ａ】
2020515822.tif 000017
【図１２ｂ】
2020515822.tif 000018
【図１２ｃ】
2020515822.tif 000019
【図１２ｄ】
2020515822.tif 000020
【図１２ｅ】
2020515822.tif 000021
【図１２ｆ】
2020515822.tif 000022
【図１２ｇ】
2020515822.tif 000023
【図１３ａ】
2020515822.tif 000024
【図１３ｂ】
2020515822.tif 000025
【図１３ｃ】
2020515822.tif 000026
【図１３ｄ】
2020515822.tif 000027
【図１４】
2020515822.tif 000028
【図１５】
2020515822.tif 000029
【図１６】
2020515822.tif 000030
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
容器からの流体の使用量を測定する装置であって、
前記容器の出口内に又は該出口に隣接して位置付けられ、前記出口内の又は前記出口に隣接する水の存在又は不存在を監視するように構成される、近接センサ又は複数の近接センサと、
前記流体が前記出口を通じて流れ始めるときの前記容器の第１の角度を決定し、前記流体が前記出口を通じて流れるのを停止するときの前記容器の第２の角度を決定する、角度センサであって、角度データを収集するために前記近接センサ又は複数の近接センサによって起動される、角度センサと、
該角度センサからの前記角度データ又はそれらからの処理済みデータをコンピューティングデバイス又はディスプレイユニットに送信する送信器とを含み、
前記角度データ又は処理済みデータは、前記出口を通過した前記流体の容積を計算し或いは示すために使用される、
装置。
【請求項２】
前記近接センサ又は複数の近接センサから近接データを受信し、前記角度センサから前記角度データを受信する、コントローラを更に含み、前記データ又は処理済みデータは、その送信のために前記送信器に伝送される、請求項１に記載の装置。
【請求項３】
前記出口は、ユーザが前記容器内からの前記流体を飲むことができる或いは他の方法でアクセスすることができる注口を含み、該注口は、前記容器に固定的に取り付けられることができ、或いは前記容器の本体に対して移動可能であることができる、請求項２に記載の装置。
【請求項４】
前記近接センサ又は複数の近接センサは、少なくとも２つの流体接触ピンを含むことで、該流体接触ピンのうちの２つ又はそれよりも多くが流体内に浸漬されると、弱い電流がそれらの間で流れるようにさせられて、前記少なくとも２つの流体接触ピンに隣接する前記流体の存在を示す、請求項１乃至３のうちのいずれか１項に記載の装置。
【請求項５】
前記近接センサは、前記注口の一方の側に配置された第１の接触ピンと、前記注口の反対側に配置された３つの離間した二次的な接触ピンとを含むことで、前記概ね細長い容器が概ね水平な平面に沿って位置付けられるときに、前記３つの二次的な接触ピンが概ね垂直な軸に沿って離間することにより、前記容器の長手軸が前記水平な平面に接近するにつれて、前記二次的な接触ピンは徐々に覆われ、それにより、前記二次的な接触ピンが徐々に覆われるにつれて、弱い電流が前記第１の接触ピンと前記二次的な接触ピンの各々との間で徐々に流れるようにさせられる、請求項３に記載の装置。
【請求項６】
前記出口又は注口を通過した前記流体の前記容積は、ユーザによる流体消費量を計算することにより、前記ユーザのおおよその水和を決定するために使用される、請求項１乃至５のうちのいずれか１項に記載の装置。
【請求項７】
前記出口又は注口を通過した前記流体の前記容積は、単一のドリンク事象又は注入事象の間にある、請求項１乃至６のうちのいずれか１項に記載の装置。
【請求項８】
前記容器は、１つの形態において、ベースと、前記流体を保持するチャンバ又は貯槽を境界付ける上向きに延びる周壁とを含む、ボトルであり、可逆的に取り付け可能な蓋アセンブリが、前記チャンバ又は貯槽を封止するために、前記周壁の頂縁に接続され、前記注口は、概ね垂直な軸に沿って移動可能であり、前記蓋アセンブリの上方部分に取り付けられ、前記チャンバを封止するために閉鎖可能であり、前記周壁は、概ね円筒形であり、垂直に細長く、概ねディスク形状の蓋アセンブリが、前記ボトルの開放上方端の上に取り付けられる、請求項３に記載の装置。
【請求項９】
傾斜させられるときに前記容器の長手軸に対する前記近接センサ又は複数の近接センサの場所を決定する回転センサを更に含む、請求項１乃至８のうちのいずれか１項に記載の装置。
【請求項１０】
電源と、前記処理済みデータが前記送信器を介して前記コンピューティングデバイス及び／又はディスプレイユニットに送信される前に前記センサ又は複数のセンサからの前記データを処理するプロセッサとを更に含む、請求項１乃至９のうちのいずれか１項に記載の装置。
【請求項１１】
前記プロセッサ又はコントローラ又はワイヤレスにリンクされるコンピューティングデバイスは、所要の量の流体がユーザによって消費されたか否かを示す、前記容器に取り付けられるコード化された赤色、橙色、緑色のＬＥＤライトの形態の、前記ディスプレイユニットと通信する、請求項１０に記載の装置。
【請求項１２】
前記容器が急激に傾けられるならば、零れ速度を推定し或いは計算するために、前記容器の加速度を測定する加速度計を更に含む、請求項１乃至１１のうちのいずれか１項に記載の装置。
【請求項１３】
前記容器の動きは、３つの軸に沿って測定され、それにより、前記容器の向き及び傾斜を計算する、請求項１乃至１２のうちのいずれか１項に記載の装置。
【請求項１４】
容器からの流体の使用量を測定するための、前記容器への取付けのための蓋アセンブリであって、
当該蓋アセンブリの出口内に又は該出口に隣接して位置付けられ、前記出口内の又は前記出口に隣接する前記流体の存在又は不存在を監視するように構成される、近接センサ又は複数の近接センサと、
前記流体が前記出口を通じて流れ始めるときの前記蓋の第１の角度を決定し、前記流体が前記出口を通じて流れるのを停止するときの前記容器の第２の角度を決定する、角度センサであって、角度データを収集するために前記近接センサ又は複数の近接センサによって起動される、角度センサと、
該角度センサからの前記角度データ又はそれらからの処理済みデータをコンピューティングデバイス及び／又はディスプレイユニットに送信するための送信器とを含み、
前記角度データ又は処理済みデータは、前記出口を通過した前記流体の容積を計算し或いは示すことにより、ユーザによる流体消費量を計算するために使用される、
蓋アセンブリ。
【請求項１５】
容器からの流体の使用量を測定する方法であって、
前記容器の出口内に又は該出口に隣接して近接センサ又は複数の近接センサを配置するステップであって、前記近接センサ又は複数の近接センサは、前記出口内の又は前記出口に隣接する前記流体の存在又は不存在を監視するように構成される、ステップと、
角度センサを前記容器に取り付けるステップであって、前記角度センサは、前記流体が前記出口を通じて流れ始めるときの前記容器の第１の角度を測定するように構成され、前記流体が前記出口を通じて流れるのを停止するときの前記容器の第２の角度を測定するように構成される、ステップと、
送信器を前記容器に取り付けるステップであって、前記送信器は、前記角度センサによって収集される角度データ又はそれらからの処理済みデータをコンピューティングデバイス及び／又はディスプレイユニットに送信するように構成される、ステップと、
前記流体が前記近接センサ又は複数の近接センサに接触して、前記出口を通じて流出させられるように、前記容器を第１の方向に傾けるステップであって、前記角度センサは、それにより起動させられて、前記第１の角度を測定する、ステップと、
前記流体が前記近接センサ又は複数の近接センサから離れて、前記出口を通じて流出するのを停止するように、前記容器を第２の方向に移動させるステップであって、前記角度センサは、それにより起動させられて、前記第２の角度を測定し、前記流体が前記出口を通じて流出させられるときと前記流体が前記出口を通じて流出するのを停止するときとの間の時間は、事象を境界付ける、ステップと、
該事象の間に前記出口を通過した前記流体の容積を計算するステップと、
前記事象の間に前記出口を通過した前記流体の容積を示す指標又はそれに関する情報をユーザに表示するステップとを含む、
方法。
【手続補正２】
【補正対象書類名】明細書
【補正対象項目名】００１０
【補正方法】変更
【補正の内容】
【００１０】
必ずしも最も広くない或いは唯一の態様でない本発明の１つの態様では、容器からの流体の使用量を測定する装置であって、
容器の出口内に又は出口に隣接して位置付けられ、出口内の又は出口に隣接する水の存在又は不存在を監視するように構成される、近接センサ又は複数の近接センサと、
流体が出口を通じて流れ始めるときの容器の第１の角度を決定し、流体が出口を通じて流れるのを停止するときの容器の第２の角度を決定する、角度センサであって、角度データを収集するために近接センサ又は複数の近接センサによって起動される、角度センサと、
角度センサからの角度データ又はそれらからの処理済みデータをコンピューティングデバイス又はディスプレイユニットに送信する送信器とを含み、
角度データ又は処理済みデータは、出口を通過した流体の容積を計算し或いは示すために使用される、
装置が提供される。
【手続補正３】
【補正対象書類名】明細書
【補正対象項目名】００１１
【補正方法】変更
【補正の内容】
【００１１】
１つの形態において、装置は、近接センサ又は複数の近接センサから近接データを受信し、角度センサから角度データを受信する、コントローラを更に含み、データ又はセンサからの処理済みデータは、その送信のために送信器に伝送される。
【手続補正４】
【補正対象書類名】明細書
【補正対象項目名】００２４
【補正方法】変更
【補正の内容】
【００２４】
装置は、処理済みデータが送信器を介してコンピューティングデバイス及び／又はディスプレイユニットに送信される前に複数のセンサからのデータを処理するプロセッサを更に含んでよい。コンピューティングデバイスは、センサからのデータの更なる処理を引き受けることがある。代替的に、複数のセンサからのデータは、データの処理の全てを引き受けるコンピューティングデバイスに直接的に送信される。
【手続補正５】
【補正対象書類名】明細書
【補正対象項目名】００３２
【補正方法】変更
【補正の内容】
【００３２】
本発明の別の態様では、容器からの流体の使用量を測定するための容器への取付けのための蓋アセンブリであって、
蓋アセンブリの出口内に又は出口に隣接して位置付けられ、出口内の又は出口に隣接する流体の存在又は不存在を監視するように構成される、近接センサ又は複数の近接センサと、
流体が出口を通じて流れ始めるときの蓋の第１の角度を決定し、流体が出口を通じて流れるのを停止するときの容器の第２の角度を決定する、角度センサであって、角度データを収集するために近接センサ又は複数の近接センサによって起動される、角度センサと、
角度センサからの角度データ又はそれらからの処理済みデータをコンピューティングデバイス及び／又はディスプレイユニットに送信するための送信器とを含み、
角度データ又は処理済みデータは、出口を通過した流体の容積を計算し或いは示すことにより、ユーザによる流体消費量を計算するために使用される、
蓋アセンブリが提供される。
【手続補正６】
【補正対象書類名】明細書
【補正対象項目名】００３４
【補正方法】変更
【補正の内容】
【００３４】
本発明の更に別の態様では、容器からの流体の使用量を測定する方法であって、
容器の出口内に又は出口に隣接して近接センサ又は複数の近接センサを配置するステップであって、近接センサ又は複数の近接センサは、出口内の又は出口に隣接する流体の存在又は不存在を監視するように構成される、ステップと、
角度センサを容器に取り付けるステップであって、角度センサは、流体が出口を通じて流れ始めるときの容器の第１の角度を測定するように構成され、流体が出口を通じて流れるのを停止するときの容器の第２の角度を測定するように構成される、ステップと、
送信器を容器に取り付けるステップであって、送信器は、角度センサによって収集される角度データ又はそれらからの処理済みデータをコンピューティングデバイス及び／又はディスプレイユニットに送信するように構成される、ステップと、
流体が近接センサ又は複数の近接センサに接触して、出口を通じて流出させられるように、容器を第１の方向に傾けるステップであって、角度センサは、それにより起動させられて、第１の角度を測定する、ステップと、
流体が近接センサ又は複数の近接センサから離れて(disengages)、出口を通じて流出するのを停止するように、容器を第２の方向に移動させるステップであって、角度センサは、それにより起動させられて、第２の角度を測定し、流体が出口を通じて流出させられるときと流体が出口を通じて流出するのを停止するときとの間の時間は、事象を境界付ける、ステップと、
事象の間に出口を通過した流体の容積を計算するステップと、
事象の間に出口を通過した流体の容積を示す指標(しるし)(indicia)又はそれに関する情報をユーザに表示するステップとを含む、
方法が提供される。
【国際調査報告】
2020515822.tif 000031
2020515822.tif 000032
2020515822.tif 000033